【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
光源モジュールと、前記光源モジュールに機械的に着脱可能な照射モジュールとが組み合わせられることによって、用途に応じた照明光が出射される内視鏡用光源システムであって、
前記光源モジュールは、
光源光を出射する光源ユニットと、
前記光源光の光学特性を変換して１次出射光として出射する光源側出射部と、
前記光源側出射部の光軸上に配設され、互いに異なる光学機能を有する様々な種類の前記照射モジュールに対して共通化されている光源側接続口部と、
を有し、
前記照射モジュールは、
前記光源側出射部から出射された前記１次出射光が入射する照射側入射部と、
前記照射側入射部が前記光源側出射部と同軸上に配設されて、前記光源側出射部から出射された前記１次出射光が前記照射側入射部に入射するように、前記光源側接続口部と接続する照射側接続部と、
前記照射側入射部に入射された前記１次出射光を導光する導光部材と、
前記導光部材によって導光された前記１次出射光の光学特性を変換して前記照明光として外部に出射する照射側出射部と、
を有し、
光軸方向における前記光源側出射部と前記照射側入射部との間の相対距離は、前記光源モジュールに接続する前記照射モジュールに応じて所望に調整されることを特徴とする内視鏡用光源システム。
【請求項２】
前記１次出射光が入射する前記導光部材の入射端面のサイズは、前記照射モジュール毎に異なることを特徴とする請求項１に記載の内視鏡用光源システム。
【請求項３】
前記光源モジュールは、
前記導光部材が複数の光ファイバ素線が束ねられることで形成されるバンドルファイバを有する前記照射モジュールと、
前記導光部材が単線の光ファイバを有する前記照射モジュールと、
のいずれにも接続可能であることを特徴とする請求項２に記載の内視鏡用光源システム。
【請求項４】
前記バンドルファイバを有する前記照射モジュールは、前記１次出射光の光軸に直交する方向の前記１次出射光の断面における光強度を均一にし、光強度が均一化された状態で前記１次出射光を前記バンドルファイバに入射させる強度均一化部材を有し、
前記単線の光ファイバを有する前記照射モジュールは、前記１次出射光を前記単線の光ファイバに集光する集光部材を有する、
ことを特徴とする請求項３に記載の内視鏡用光源システム。
【請求項５】
前記強度均一化部材はガラスロッドであり、前記集光部材はレンズであり、
前記照射モジュールが前記光源モジュールに接続された際に、前記光源モジュールから前記照射モジュールに向かう前記１次出射光の進行方向において、前記照射モジュール側を前方と称し、前記光源モジュール側を後方と称し、
前記光源側出射部は、出射する前記１次出射光を前記光源モジュールに接続された前記照射モジュールに集光する光源側集光部材を有し、
前記バンドルファイバを有する前記照射モジュールが前記光源モジュールに接続された際に、前記ガラスロッドは、前記光源側集光部材の集光点よりも前方に配置され、
前記単線の光ファイバを有する前記照射モジュールが前記光源モジュールに接続された際に、前記レンズは、前記光源側集光部材の前記集光点よりも後方に配置される、
ことを特徴とする請求項４に記載の内視鏡用光源システム。
【請求項６】
前記照射側接続部が前記光源側接続口部と機械的に接続した際に、前記相対距離は調整されることを特徴とする請求項１に記載の内視鏡用光源システム。
【請求項７】
光軸方向における前記照射側接続部に対する前記照射側入射部の長さが前記照射モジュール毎に異なることによって、前記相対距離は調整されることを特徴とする請求項６に記載の内視鏡用光源システム。
【請求項８】
前記光源側接続口部が前記照射側接続部と接続した際に、光軸方向における前記光源側接続口部に対する前記照射側接続部の接続位置が前記照射モジュール毎に異なることによって、前記相対距離は調整されることを特徴とする請求項６に記載の内視鏡用光源システム。
【請求項９】
前記光源モジュールは、前記光源側接続口部が前記照射側接続部と接続した際に、前記光源モジュールに接続する前記照射モジュールに応じて前記相対距離が調整されるように、前記光源側出射部を前記光源モジュールに接続した前記照射モジュールに応じて光軸方向に移動させる移動部を有することを特徴とする請求項６に記載の内視鏡用光源システム。
【請求項１０】
前記光源側出射部は、前記光源側接続口部が前記照射側接続部と接続した際に、前記１次出射光を前記照射側入射部の所望する部分に集光する集光部材を有することを特徴とする請求項６に記載の内視鏡用光源システム。
【請求項１１】
バンドルファイバを有する前記照射モジュールが前記光源モジュールに接続した際に、前記照射側入射部が前記集光部材により集光した前記１次出射光の集光位置に対して離れるように、前記相対距離は調整され、
単線ファイバを有する前記照射モジュールが前記光源モジュールに接続した際に、前記照射側入射部が前記集光部材により集光した前記１次出射光の集光位置に対して近づくように、前記相対距離は調整されることを特徴とする請求項１０に記載の内視鏡用光源システム。
【請求項１２】
バンドルファイバを有する前記照射モジュールと単線ファイバを有する前記照射モジュールとのいずれかが前記光源モジュールに接続した際は常に、前記照射側入射部に入射する前記１次出射光の光束径が単線の光ファイバのコア径よりも大きくまた略５ｍｍ以下となるように、前記相対距離は調整される特徴とする請求項１０に記載の内視鏡用光源システム。
【請求項１３】
前記光源モジュールは、前記光源光を平行光に変換する平行部材をさらに有し、
前記平行部材は第１のレンズを有し、前記集光部材は第２のレンズを有し、
１．５＜前記第２のレンズの焦点距離ｆ２／前記第１のレンズの焦点距離ｆ１＜２．５であることを特徴とする請求項１０に記載の内視鏡用光源システム。
【請求項１４】
前記光源モジュールは、前記光源ユニットと前記光源側出射部とが固定されるように前記光源ユニットと前記光源側出射部とを一体に保持する保持部材をさらに有し、
前記保持部材は、前記照射側入射部が前記光源側出射部と同軸上に配設されるように、前記照射側接続部が前記光源側接続口部と接続する際に、前記照射側入射部をガイドするガイド部を有し、
前記ガイド部は、前記照射側入射部が挿入される筒部を有することを特徴とする請求項１０に記載の内視鏡用光源システム。
【請求項１５】
前記筒部は、前記筒部の外周側から前記筒部の中心側に向かって前記照射側入射部に応力を加えて、前記照射側入射部を位置決め固定する割スリーブを有することを特徴とする請求項１４に記載の内視鏡用光源システム。
【請求項１６】
前記光源モジュールは、前記保持部材を挿入方向に付勢して挿入方向における前記保持部材の位置を位置決めする第１の付勢部材と、前記保持部材を挿入方向に直交する第１の直交方向に付勢して前記第１の直交方向における前記保持部材の位置を位置決めする第２の付勢部材と、前記保持部材を前記挿入方向と前記第１の直交方向とに直交する第２の直交方向に付勢して前記第２の直交方向における前記保持部材の位置を位置決めする第３の付勢部材とをさらに有することを特徴とする請求項１４に記載の内視鏡用光源システム。
【手続補正２】
【補正対象書類名】明細書
【補正対象項目名】００１１
【補正方法】変更
【補正の内容】
【００１１】
以下、図面を参照して本発明の実施形態について詳細に説明する。なお、一部の図面では図示の明瞭化のために部材の一部の図示を省略している。  
［第１の実施形態］  
［構成］  
図１Ａと図１Ｂと図１Ｃとを参照して第１の実施形態について説明する。  
［内視鏡用光源システム１０の構成］  
図１Ａに示すような内視鏡用光源システム１０は、光源モジュールと、光源モジュールに機械的に着脱自在な照射モジュールとを有している。図１Ａに示すように、内視鏡用光源システム１０は、例えば、１つの光源モジュール（第１の光源モジュール２０）と、２つの照射モジュール（第１の照射モジュール５０と第２の照射モジュール７０）とにより構成されている。各照射モジュール５０，７０は、例えば光学機能が互いに異なる様々な種類のモジュールとなっている。そして、図１Ａと図１Ｂと図１Ｃとに示すように、第１の照射モジュール５０が第１の光源モジュール２０に取り付けられる際に第２の照射モジュール７０は第１の光源モジュール２０から取り外され、第２の照射モジュール７０が第１の光源モジュール２０に取り付けられる際に第１の照射モジュール５０は第１の光源モジュール２０から取り外されるように、第１の光源モジュール２０と照射モジュール５０，７０とが組み合わせられる。組み合わせによって、用途に応じた照明光が第１の光源モジュール２０と接続している照射モジュールから出射される。そして第１の光源モジュール２０は、第１の照射モジュール５０と第２の照射モジュール７０とに対して、共有及び共通化されており、共通の部材である。
【手続補正３】
【補正対象書類名】明細書
【補正対象項目名】００３１
【補正方法】変更
【補正の内容】
【００３１】
図１Ａと図１Ｂとに示すように、第１の導光部材５５は、前記したようなバンドルファイバ５５ａを有している。バンドルファイバ５５ａの各光ファイバは、単線の光ファイバ７５ａの中心部に配設される図示しないコア部と、コア部を覆うように配設されている図示しないクラッド部とを有している。クラッド部の屈折率はコア部の屈折率よりも低くなっているため、１次出射光は、コア部とクラッド部との界面によって反射し、コア部に閉じ込められ、コア部によって導光される。これにより光ファイバは、光ファイバの内部に１次出射光を閉じ込めて、１次出射光を漏らすことなく第１の照射側出射部５７に伝送する。光ファイバの直径は、例えば２０μｍ〜７０μｍとなっている。バンドルファイバ５５ａの直径は、例えば１ｍｍ〜４ｍｍとなっている。
【手続補正４】
【補正対象書類名】明細書
【補正対象項目名】００３４
【補正方法】変更
【補正の内容】
【００３４】
図１Ａと図１Ｃとに示すように、第２の照射側入射部７１は、第２の照射側接続部７３が光源側接続口部２５と接続した際に、集光部材２３ａによって集光された１次出射光が単線の光ファイバ７５ａに入射するように、集光部材２３ａによって集光された１次出射光を単線の光ファイバ７５ａにさらに集光する集光部材７１ａを有している。集光部材７１ａは、単線の光ファイバ７５ａの一端部と光学的に接続している。単線の光ファイバ７５ａにおいて、図示しないコア部の直径は例えば５０μｍ〜３００μｍとなっている。このため、集光部材７１ａは、位置ずれに伴い発生する光損失を防止する。位置ずれは、例えば、第２の照射モジュール７０側の光軸に対する第１の光源モジュール２０側の光軸のずれと、光軸方向における第１の光源モジュール２０に対する第２の照射モジュール７０のずれとを含む。光損失は、位置ずれによって、例えば、細い単線の光ファイバ７５ａに入射する１次出射光の光量が減ることを示す。
【手続補正５】
【補正対象書類名】明細書
【補正対象項目名】００３６
【補正方法】変更
【補正の内容】
【００３６】
図１Ａと図１Ｂと図１Ｃとに示すように、第２の照射側入射部７１は、例えば、第１の照射側入射部５１と同じ太さと同じ外形とを有している。第２の照射側入射部７１は、第１の照射側入射部５１よりも長い。
【手続補正６】
【補正対象書類名】明細書
【補正対象項目名】００３７
【補正方法】変更
【補正の内容】
【００３７】
図１Ａと図１Ｃとに示すように、第２の照射側接続部７３は、光源側接続口部２５と着脱自在に嵌合する。第２の照射側接続部７３は、第２の照射側入射部７１の一端部が貫通孔部２５ａを貫通し、第２の照射側入射部７１の他端部が貫通孔部２５ａに配設されるように、光源側接続口部２５と機械的に接続する。
【手続補正７】
【補正対象書類名】明細書
【補正対象項目名】００７８
【補正方法】変更
【補正の内容】
【００７８】
図２Ａと図２Ｂと図２Ｃとに示すように、第１の照射側入射部５１は、第２の入射側入射部７１と同じ長さを有している。第１の照射側入射部５１と第２の照射側入射部７１とは、第２の接続口部２５ｃよりも細い。
【手続補正８】
【補正対象書類名】明細書
【補正対象項目名】００８４
【補正方法】変更
【補正の内容】
【００８４】
この図３Ａと図３Ｂとに示すように、保持部材２９は、照射側入射部５１，７１が光源側出射部２３と同軸上に配設されるように、照射側接続部５３，７３が光源側接続口部２５と接続する際に、照射側入射部５１，７１をガイドするガイド部２９ａをさらに有している。このガイド部２９ａは、照射側入射部５１，７１が挿入され、照射側入射部５１，７１が嵌合する筒部２９ｃを有している。筒部２９ｃは、挿入方向において、保持部材２９の内部と連通している。筒部２９ｃの中心軸は、集光部材２３ａの中心軸と同軸上に配設されている。筒部２９ｃの内径及び内形は、照射側入射部５１，７１の外径と外形と同じである。筒部２９ｃは、筒部２９ｃの一端部に配設され、照射側入射部５１，７１が筒部２９ｃに挿入されるための挿入開口部２９ｄを有している。挿入開口部２９ｄは、挿入方向において、保持部材２９の内部に向かうに従って徐々に狭くなっている。挿入開口部２９ｄは、例えば光源側接続口部２５と第２の照射側接続部７３との接続に伴い発生する入射端面における光軸ずれを考慮して、例えば第２の照射側入射部７１の外径よりも広くなっている。また挿入開口部２９ｄの最小径は、挿入の妨げにならない範囲で、例えば第２の照射側入射部７１の外径に近似している。この点は、第１の照射側入射部５１についても同様である。